(57)【要約】【課題】  変調信号の特性を用いて受信性能を改善した定振幅多重符号双直交変調システムの復調方法を提供する。【解決手段】  定振幅多重符号双直交変調システムの復調方法は、入力される受信信号を、４つのブロックを有する復調器で復調する段階と、前記復調されたビット列のうち相関値の大きい順序でｃ（ｃ≦２ｋ、ｋは情報ビット数）個のビット列を選定及び組み合わせしてｃ４個のビット列候補を立てる段階と、前記ｃ４個のビット列候補に対してパリティ検査を行い、誤りの発生しない候補群があれば、その中で相関値の和が最大となる候補群を選択してそれに対応するビット列を受信機の出力として判定し、誤りの発生しない候補群がなければ、ブロック毎に最大相関値をもって判定したビット列を出力する段階とを含む。【選択図】  図２
2006094455.tif 000002
【特許請求の範囲】
【請求項１】
定振幅多重符号双直交変調システムにて相関器の出力とパリティ検査結果を用いた復調方法であって、
入力される受信信号を、４つのブロックを有する復調器で復調する段階と、
前記復調されたビット列の中で相関値の大きい順序でｃ（ｃ≦２ｋ、ｋは情報ビット数）個のビット列を選定及び組み合わせてｃ４個のビット列候補を立てる段階と、
前記ｃ４個のビット列候補に対しパリティ検査を行い、誤りの発生しない候補群があれば、その中で相関値の和が最大となる候補群を選択して対応するビット列を受信機の出力として判定し、誤りの発生しない候補群がなければ、ブロック毎に最大相関値をもって判定したビット列を出力する段階と、
を含むことを特徴とする定振幅多重符号双直交変調方式システムの復調方法。
【請求項２】
情報ビットの伝送に引き続いて前記情報ビットの誤り訂正を行う付加ビットを伝送する定振幅多重符号双直交変調システムにおける受信信号の誤り訂正のためのブロック和の検査方法であって、
受信信号から前記情報ビット、及びこれに対応して前記受信信号に定振幅特性を与えるパリティビットを復調する段階と、
前記情報ビットの復調に引き続いて前記付加ビットを復調する段階と、
前記復調されたパリティビット及び付加ビットから前記情報ビットの誤りを訂正する段階と、
を含むことを特徴とする定振幅多重符号双直交変調方式における誤り訂正のためのブロック和の検査方法。
【請求項３】
前記情報ビットの誤り訂正段階は、
前記復調された情報ビットから付加ビットを再計算し、前記復調された付加ビットと比較して情報ビットの誤り列を検出する段階と、
前記復調された情報ビットから定振幅特性を与えるパリティビットを再計算し、前記復調されたパリティビットと比較して、前記誤り列から情報ビットの誤り位置を検出する段階と、
前記検出された誤り位置の情報ビットを反転させる段階と、
を含むことを特徴とする請求項３に記載の定振幅多重符号双直交変調方式における誤り訂正のためのブロック和の検査方法。
【請求項４】
Ｎビットのユーザデータ及び定振幅特性を与えるパリティビットのサブセットから直交符号及び前記直交符号の位相を各々決定し、前記サブセットから各々決定される直交符号を加算し、変調信号を生成する定振幅多重符号双直交変調システムで、前記変調信号を最適復調する方法であって、
前記Ｎビットユーザデータの組み合わせに対応する２Ｎ個の類似直交符号と前記変調信号の相関値を計算する相関段階と、
前記相関段階で計算された２Ｎ個の相関値の中から最大値を選択し、前記最大値に対応する類似直交符号から前記変調信号に対応するＮビット全体を同時に判定する最大値選択段階と、
を含むことを特徴とする定振幅多重符号双直交変調信号の最適復調方法。
【請求項５】
Ｎビットのユーザデータ及び定振幅特性を与えるパリティビットのサブセットから直交符号及び前記直交符号の位相を各々決定し、前記サブセットから各々決定される直交符号を加算し、変調信号を生成する定振幅多重符号双直交変調システムで、前記変調信号を準最適復調する方法であって、
前記Ｎビットユーザデータの組み合わせに対応する２Ｎ個の類似直交符号の双直交特性に基づいて選択された２Ｎ−１個の類似直交符号と、
前記変調信号の相関値を計算する相関段階と、
前記相関段階で計算された２Ｎ−１個の相関値の中から最大値を選択し、前記最大値に対応する類似直交符号から前記変調信号に対応するＮビットのユーザデータを判定する最大値の選択段階と、
前記最大値選択段階で選択された最大値の符号に応じて、前記判定されたＮビットのユーザデータの中で前記変調信号の直交符号位相を決定するビットを反転する反転段階と、
を含むことを特徴とする定振幅多重符号双直交変調信号の準最適復調方法。
【発明の詳細な説明】
【技術分野】
【０００１】
本発明は、定振幅双直交変調信号の復調方法に関し、特に、変調信号の特性を用いて受信性能を改善した復調方法に関する。
【背景技術】
【０００２】
最近、スペクトラム拡散システムは、干渉に強い特性のため、主要な無線ＬＡＮ／ＰＡＮの物理層として用いられている。例えば、無線ＬＡＮ標準であるＩＥＥＥ８０２．１１では直接拡散（DS: direct spreading）方式を、ＩＥＥＥ８０２．１１ｂでは相補型符号変調（CCK: complement code keying）方式を採用している。そして、無線ＰＡＮ標準であるＩＥＥＥ８０２．１５．４では直交変調（orthogonal modulation）を、その他ＵＷＢ（ultra wide band）では双直交変調（biorthogonal modulation）を使用している。
【０００３】
移動通信に用いられるＣＤＭＡ方式では、データに直接に直交符号を乗算してスペクトラムを拡散するＤＳ／ＣＤＭＡ（Direct Sequence/Code Division Multiple Access）方式が主に使用されている。ところが、スペクトラム拡散システムは、スペクトラムの拡散によってスペクトラムの効率が低くなり高速のデータ伝送に不適当な欠点がある。それで、高速伝送を提供するスペクトラム拡散システムに関する研究が活発に行われていて、その結果、最も普遍的な方式として多重符号信号（multi-code signal）を用いる方式が使用されている。しかし、多重符号変調方式は既存のスペクトラム拡散システムに比べて高いスペクトラム効率（spectral efficiency）を得ることができるが、多重レベルの信号を増幅させるため広い線形動作領域（linearity region）を提供する高価な電力増幅器を必要とする。もし、電力増幅器の線形領域が多重レベル信号の出力レベルをカバーしなければ、増幅器の非線形性により全体多重符号システムの性能に悪影響を及ぼす可能性がある。したがって、線形領域が狭小な電力増幅器を使用するためには、多重符号信号が定振幅特性を有することが好ましい。
【０００４】
このように伝送データチャネル数の増加に伴って多重符号の使用により変調信号の信号レベルが増加し、これによって発生する諸般問題点を解消できる方式として、ＰＷ／ＣＤＭＡ（Pulse Width CDMA；特許文献１参照）及びＭＰ／ＣＤＭＡ（Multi Phase CDMA；特許文献２参照）があり、それに別名ＣＳ／ＣＤＭＡ（Code Phase CDMA）と呼ばれる定振幅多重符号双直交変調（Constant Amplitude multi-Code Biorthogonal Modulation；以下、「ＣＡＣＢ」という）（特許文献３及び特許文献４参照）方式が提案されている。
【０００５】
ＰＷ／ＣＤＭＡは、デジタル合算器の出力シンボルレベルを、一定値以上は切り捨て（レベル制限）、残ったレベル値はパルス幅に変えて伝送し、信号波形が常時バイナリ（binary）形を有するようにする方法である。出力シンボルは、パルス発生器でレベル値に応じて決定されている幅のパルス信号に変換される。ＰＷ／ＣＤＭＡは、変調信号がバイナリ形となる利点があるが、切り捨てた変調信号のレベル数が２より大きくなる場合、変調信号のスペクトラム幅がレベル数に比べて増加するという欠点がある。
【０００６】
ＭＰ／ＣＤＭＡ方式は、多重レベルの信号を一定の振幅をもって伝送できるようにＭＰＳＫ変調を使用するが、チャネル雑音の影響を少なく受けるように変調に先立って信号のレベルを一定の個数に制限する。ところが、このようなレベル制限を行う場合には、信号の直交性が低下する。この方法は、符号選択アルゴリズムがビット誤り率（BER; bit error rate）に決定的な影響を及ぼし、多重符号間の干渉とクリッピングによる損失によって使用符号の個数を増加させる場合（すなわち、相当高いスペクトラム効率を実現する場合）に満足すべきビット誤りの性能を得ることができないという問題点がある。
【０００７】
尚、ＣＡＣＢ方式は、伝送されるデータを用いて、ブロックに割り当てられた直交符号のうち一つを選択してデータを変調する。チャネル数が多い場合、格納すべきコードの個数が非常に大きくなるため、ＣＡＣＢシステムは多数個のブロックに分けて実現するが、各ブロックから出力される直交コードが加えられるため、変調信号は多重レベル信号になる。かかる問題点を解決するために入力される情報ビット列を適当に符号化することにより、出力されるシンボルの大きさが一定になってレベル制限器が不要となるシステムがＣＡＣＢである。
【０００８】
次に、前記ＣＡＣＢ技術について添付図面を参照しながら簡単に説明する。
【０００９】
図１は定振幅符号化器を有するＣＡＣＢシステムの送信器の構造を示す。この装置の符号化方法は、入力されるＮビットの情報ビット列（User Data）を直並列変換器１１０によって直／並列に変換し、３つの双直交変調ブロック１３０＿Ｉ、１３０＿Ｊ、１３０＿Ｋに各々ｋ＋１個ずつ（ｋは自然数）（図１はｋ＝２のときを例示したもので、これに限定されない）の情報チャネルが入力されるようにブロック単位でグループ化する段階と、前記３つのブロックに入力される情報ビット列から定振幅符号化器１２０による符号化を経て４番目のブロック１３０＿Ｌに入力されるｋ＋１個の符号化出力ビット列を生成する段階とからなっている。このように、定振幅符号化器を有するＣＡＣＢシステムの変調器は同一構造の４つのブロックから構成されており、各ブロックはウォルシューアダマール（Walsh-Hadamard）コードを直交コードとして用いる。
【００１０】
各ブロックはｋ＋１個の入力チャネルを有するが、ここに入力される情報ビット列は１と０からなるデータを有する。前記各ブロックの直交変調器１３１＿Ｉ、１３２＿Ｊ、１３２＿Ｋ、１３２＿Ｌはｋ個の入力チャネル情報（すなわち、ｋビットデータ）から２のｋ乗個直交コードの中の一つを選択する。この直交コードは長さが２のｋ＋２乗チップであり、各元素は１または−１である。前記各ブロックの乗算器１３４＿Ｉ、１３４＿Ｊ、１３４＿Ｋ、１３４＿Ｌは、残り一つのチャネルに入力される情報ビットの「０」を「−１」に変換して陽極性信号に作った後、前記各直交変調器１３２＿Ｉ、１３２＿Ｊ、１３２＿Ｋ、１３２＿Ｌで選択された直交コードと乗算してデジタル合算器１４０に入力させる。
【００１１】
４つのブロックから４つの直交コードを選択する方法は、Ｍ×Ｍサイズのアダマール（Hadamard）行列から４つの行を選択することにより説明することができる。ブロック毎にｋビットによってコードを選択するので、ブロック当り２ｋ個のコードがあり、４つのブロックがあるので、アダマール行列のサイズであるＭ＝２ｋ＋２である。たとえば、ブロック毎に２ビットによってコードを選択する場合（すなわち、ｋ＝２の場合）は、アダマール行列のサイズは１６×１６となり、選択された直交コードは１６チップの長さを有する。
【００１２】
定振幅符号化器を有するＣＡＣＢにおいて、冗長ブロック１３０＿Ｌに入力されるビットを作るために他の３つのブロックに入力されるビット列を符号化する方法は、次の通りである。ここでは、各ブロックに入力されるデータビット数はｋ＋１と仮定する。ｋ＋１ビットの中のｋビットのデータによって２ｋ個直交コードのうち一つを選択し、選択された直交コードは残り１ビットのデータと乗算される。３つの双直交変調ブロック１３０＿Ｉ、１３０＿Ｊ、１３０＿Ｋに入力される３×（ｋ＋１）個の情報ビットを符号化して冗長ブロック１３０＿Ｌに入力すると、４つのブロックから出力されたビット列をデジタル合算器１４０で合算したとき、出力シンボルの振幅Ｓｑを一定にすることができる。
【００１３】
図１を参照すると、入力される９ビット（Ｎ＝９）の情報ビット列のうち、コードを選択するビット列は各々（ｂ１、ｂ２）、（ｂ４、ｂ５）、（ｂ７、ｂ８）であり、符号を決定するビットは各々ｂ０、ｂ３、ｂ６である。冗長ブロックである定振幅符号化器ブロック１３０＿Ｌでコードを選択するビット列は（ｐ１、ｐ２）であり、符号を決定するビットはｐ０である。冗長ブロック１３０＿Ｌのコード選択ビットｐ１、ｐ２と、符号を決定する一つのデータビットｐ０を数式１のように符号化すると、伝送信号は常時＋２または−２となって振幅が一定になる。
【００１４】
【数１】
2006094455.tif 000003
【００１５】
要するに、定振幅符号化器を有するＣＡＣＢシステムは、ウォルシューアダマール直交コードを使用し、４つのブロックから構成されているが、この中で３つのブロックには情報ビットが伝送され、残り１つのブロック（冗長ブロック）には３つのブロックに入力される情報ビット列を符号化して作られたパリティビットが伝送される。
【００１６】
しかしながら、従来の受信装置または復調装置は、パリティビット列のある冗長ブロックを除いた残り３つのブロックで情報ビットを復調する。すなわち、従来の受信装置または復調装置では、４つのブロックからなるＣＡＣＢシステムに対して出力シンボルの大きさを一定にするための目的で情報ビットを符号化して付加的に伝送する１ブロックの冗長データが不要なデータとして取り扱われていた。
【００１７】
【特許文献１】韓国登録特許第２９３１２８号明細書
【特許文献２】韓国特許出願第１０−２００１−８０３３号明細書
【特許文献３】韓国特許出願第１０−２００１−６１７３８号明細書
【特許文献４】韓国特許出願第１０−２００２−２０１５８号明細書
【発明の開示】
【発明が解決しようとする課題】
【００１８】
本発明の目的は、上述した定振幅多重符号双直交変調システムの受信段で変調信号を効率的に復調するための方法を提供することにあり、特に変調信号の特性を活用して復調性能を改善することにある。
【課題を解決するための手段】
【００１９】
上記課題を解決するために、本発明のある態様は、定振幅多重符号双直交変調システムの復調方法が提供され、入力される受信信号を直交コードと相関させて相関値を求め、この相関値の絶対値の大きさ順にｃ個の相関値を選択する段階と、ｃ個の相関値に対応するビット列を候補として選定し、４つのブロックで選定された候補ビット列を組み合わせてｃ４個の仮説を立てる段階と、ｃ４個の仮説を成すビット列の組み合わせ各々に対してパリティ検査を行い、誤りが発生しない候補の中から４つの相関値を合わせて合計が最大となる候補群を選択し、対応するビット列を受信機の出力として判断する段階とから構成されている。
【００２０】
本発明の別の態様は、情報ビットの伝送に引き続いて前記情報ビットの誤り訂正のための付加ビットを伝送する定振幅多重符号双直交変調システムにおける受信信号の誤り訂正のためのブロック和の検査方法が提供され、受信信号から前記情報ビット、及びこれに対応して前記受信信号に定振幅特性を与えるパリティビットを復調する段階と、前記情報ビットの復調に後続して前記付加ビットを復調する段階と、前記復調されたパリティビット及び付加ビットから情報ビットの誤りを訂正する段階とを含む。
【００２１】
そして、前記情報ビットの誤り訂正段階は、前記復調された情報ビットから付加ビットを再計算し、前記復調された付加ビットと比較して情報ビットの誤り列を検出する段階と、前記復調された情報ビットから定振幅特性を与えるパリティビットを再計算し、前記復調されたパリティビットと比較して前記誤り列から情報ビットの誤り位置を検出する段階と、前記検出された誤り位置の情報ビットを反転させる段階とを含むことが好ましい。
【００２２】
また、本発明の別の態様は、Ｎビットのユーザデータ及び定振幅特性を与えるパリティビットのサブセット（sub-set）から直交符号及び前記直交符号の位相を各々決定し、前記サブセットから各々決定される直交符号を加算して変調信号を生成する定振幅多重符号双直交変調システムで前記変調信号を最適復調する方法が提供され、前記Ｎビットユーザデータの組み合わせに対応する２Ｎ個の類似直交符号と前記変調信号の相関値を計算する相関段階と、前記相関段階で計算された２Ｎ個の相関値の中から最大値を選択し、前記最大値に対応する類似直交符号から前記変調信号に対応するＮビット全体を同時に判定する最大値選択段階とを含む。
【００２３】
また、本発明の別の態様は、Ｎビットのユーザデータ及び定振幅特性を与えるパリティビットのサブセットから直交符号及び前記直交符号の位相を各々決定し、前記サブセットから各々決定される直交符号を加算して変調信号を生成する定振幅多重符号双直交変調システムで前記変調信号を準最適（sub-optimum）復調する方法が提供され、前記Ｎビットユーザデータの組み合わせに対応する２Ｎ個の類似直交符号の双直交特性に基づいて選択された２Ｎ−１個の類似直交符号と、前記変調信号の相関値を計算する相関段階と、前記相関段階で計算された２Ｎ−１個の相関値の中から最大値を選択し、前記最大値に対応する類似直交符号から前記変調信号に対応するＮビットのユーザデータを判定する最大値選択段階と、前記最大値選択段階で選択された最大値の符号に応じて、前記判定されたＮビットのユーザデータの中で前記変調信号の直交符号位相を決定するビットを反転する反転段階とを含む。
【発明の効果】
【００２４】
本発明によれば、定振幅多重符号双直交変調システムで変調信号の特性を用いて受信性能を向上させることができる。
【００２５】
１）本発明の第１実施形態に係る相関器の出力とパリティ検査結果を直接用いた受信信号の複号化方法及びその装置は、既存の受信機では使用しない冗長ブロックのパリティ情報を活用して情報ビットの誤りを訂正することにより、システムのビット誤り率の性能を改善することができ、与えられた品質を得るために必要な送信エネルギーを減少させることができるため、エネルギーの効率が向上するという効果がある。
【００２６】
２）本発明の第２実施形態に係る誤り訂正のためのブロック和の検査方法は、定振幅を作るために追加したパリティビットと新しく追加した付加ビットを用いて格子の形で符号を構成することにより、受信ビットに対して誤りを検出あるいは訂正することができるという利点があり、これにより受信性能が改善される。
【００２７】
３）本発明の第３及び第４実施形態に係る最適／準最適受信方法は、対称信号が直交信号よりさらに遠いという距離特性を用いるために、直交変調方式より優れたビット誤り率の性能を実現することができる。特に、準最適復調方法は、変調信号の双直交特性を用いて、最適復調に要求される類似直交符号の数を半減させることができ、これにより前述した最適復調と対等な復調性能を得ながらもより低いコストでハードウェアを実現することができるという利点がある。
【発明を実施するための最良の形態】
【００２８】
以下、添付図面を参照しながら、本発明の好適な実施の形態について詳細に説明する。なお、本明細書及び図面において、実質的に同一の機能構成を有する構成要素については、同一の符号を付することにより重複する説明を省略する。
【００２９】
図２は本発明の第１実施形態に係る、定振幅多重符号双直交変調システムで受信信号を復調するＣＡＣＢ受信装置の構成を示す図である。前記ＣＡＣＢ受信装置は、情報ビットに付加して伝送されるパリティビットを検査して誤り訂正過程を経ることにより、復調器のビット誤り率の性能を改善させる。
【００３０】
前述したように、定振幅符号化のために用いられた付加データビットは、数式１によって各ブロックの情報データビットに対するパリティビットとして生成される。したがって、受信装置でブロック別復調器出力ビット列のパリティを検査すると、特定ビット位置で誤りが発生したか否かを検出することができる。すなわち、各ブロックの復調されたビット列のうちｋ番目のビットに対して奇数個のビット誤り検出が可能となる。
【００３１】
まず、ＣＡＣＢ復調器において、各相関器バンク２１０は、受信信号を各バンクに割り当てられた直交コードと相関させ、各選択ブロック２２０は、前記各相関器バンク２１０から出力される相関値のうち絶対値の大きさ順序でｃ個を選択する（図２ではｃ＝２である）。この際、選択されたコードのインデックスと符号をビット列として決定する。ところで、決定されたビット列からパリティ検査を行った結果、誤りがあれば、雑音または干渉要因によって間違ったコードとの相関値が正しいコードとの相関値より大きくなったことを意味する。したがって、本発明の第１実施形態では、最大相関値を有するコードを含んで、相関値の大きい順序通りに予め指定された個数（ｃ個）のコードを候補として選択し、パリティ検査器（Parity Checker）２３０によってパリティ条件を満足するコードをスイッチ２５０によって決定してビット選択部２６０へ出力することにより、これを最終復調ビット列として決定する。もし、誤りの発生しない候補群がなければ、ブロック毎に最大相関値をもって判定したビット列を出力する。
【００３２】
具体的には、各選択ブロック２２０では、相関値の大きい順序でｃ（ｃ≦２Ｎ、自然数）個の相関値に対応するビット列を伝送ビット列の候補としておく。これらビット列を組み合わせると、ｃ４個の仮説が立てられる。各仮説の可能性を比較するために、ｃ４個各々の仮説に該当するビット列の組み合わせに対してパリティ検査を行う。これらの中でパリティ誤りの発生しない仮説を選択して該当シンボルを受信機の出力として選ぶ。パリティ検査を満足させる仮説が２つ以上のときは、各ブロックからの４つの相関値を加算器２４０で加算し、その和が最大となる仮説をビット選択部２６０で選択して該当ビット列を受信機の出力ビット列として最終決定する。
【００３３】
図３は、本発明の第２実施形態に係る、ブロック和の検査のための情報ビット及び冗長ビットの構成図である。
【００３４】
送信段では２７ビットの情報ｂ０乃至ｂ２６を一つのブロック和の検査単位でグループ化し、ここに９つの付加ビットｒ０、ｒ１、ｒ２、・・・・、ｒ８を加える。前記付加ビットは数式２のように計算される。
【００３５】
【数２】
2006094455.tif 000004
【００３６】
本発明の第２実施形態では、２７ビット当り９ビットの付加ビットを付加したが、場合によっては９、１８、２７、３６、・・・・（９ｎ、ｎ＝１、２、・・・・）ビット当り９ビットの付加ビットを追加することができる。前記ブロック和の検査単位は、付加ビットを含んだ３６ビットに対して定振幅符号化のために各列に数式１によってｐ０、ｐ１、ｐ２、・・・・、ｐ１１が計算されて追加されることにより、格子の形で構成される。前記ブロック和の検査単位に対して、図１の定振幅双直交変調装置を用いて３つの行別に定振幅双直交変調を行うことにより、３つの行の列別に選択された４つの双直交符号の線形和を順次伝送する。
【００３７】
2006094455.tif 000005
【００３８】
図４は本発明の第３実施形態に係るＣＡＣＢ最適復調装置を示す図である。前記最適復調装置は、例えば図１に示すようにユーザデータの大きさＮ＝９の場合、最尤（ML: Maximum Likelihood）アルゴリズムに基づいてＣＡＣＢ受信信号と５１２（＝２Ｎ）個の類似（pseudo）直交符号（９ビットのユーザデータの各組み合わせに対応する定振幅直交符号である）の相関値を個別的に出力する５１２個の相関器を含む相関器バンク４１０と、前記相関器から出力される５１２個の相関値の中の最大値に対応する直交符号を判定し、前記判定された直交符号に対応するユーザデータビットを出力する最大値選択ブロック４２０とから構成されている。
【００３９】
一方、前述した５１２個の類似直交符号のインデックスに対するバイナリ表現は、各類似直交符号に対応するユーザデータビットに対応するように構成できる。これにより、最適復調装置は、受信信号との相関値が最大となる類似直交符号のインデックスを探して９ビットのユーザデータを同時に一括的に復調することができる。
【００４０】
図５は本発明の第４実施形態に係るＣＡＣＢ準最適（Sub-Optimum）復調装置の構成を示す図である。
【００４１】
2006094455.tif 000006
【００４２】
2006094455.tif 000007
【００４３】
以上、本発明の好適な実施形態を説明したが、これは、例示のためのもので、本発明の属する技術分野で通常の知識を有する者であれば、本発明の思想から逸脱することなく、様々な変形または修正をすることができる。よって、本発明の保護範囲は前述した実施例に局限されず、特許請求の範囲によって決定される。
【図面の簡単な説明】
【００４４】
【図１】定振幅双直交変調装置の構成図である。
【図２】本発明の第１実施形態に係る、パリティビットを用いて復調性能を改善した受信装置の構成図である。
【図３】本発明の第２実施形態に係る、ブロック和検査によって誤りビットを訂正するための情報ビット及び冗長ビットの構成図である。
【図４】本発明の第３実施形態に係る最適復調装置の構成図である。
【図５】本発明の第４実施形態に係る準最適復調装置の構成図である。
【符号の説明】
【００４５】
２１０    相関器バンク
２２０    選択ブロック
２３０    パリティ検査器
２４０    加算器
２５０    スイッチ
２６０    ビット選択部
４１０    相関器バンク
４２０    最大値選択ブロック
５１０    相関器バンク
５２０    最大値選択ブロック
５３０    硬判定器
５４０    反転器
【図１】
2006094455.tif 000008
【図２】
2006094455.tif 000009
【図３】
2006094455.tif 000010
【図４】
2006094455.tif 000011
【図５】
2006094455.tif 000012